(57)【要約】【課題】携帯電話機の文字入力操作は、操作に不慣れな利用者にとって、入力方法に戸惑う、誤入力が発生しやすいなどの利便性の面で問題がある。【解決手段】本発明による携帯端末は、各子音及び各母音にそれぞれ対応付けられた複数の入力部から、いずれかの子音又は母音を示す情報を入力する入力手段と、入力手段が入力した情報に示される音が子音であるか否かを判定する判定手段と、判定手段が子音であると判定すると、複数の入力部のうち母音に対応付けられた入力部を認識可能に表示制御する母音表示制御手段とを備えたことを特徴とする。【選択図】図６
2010170477.tif 000002
【特許請求の範囲】
【請求項１】
各子音及び各母音にそれぞれ対応付けられた複数の入力部から、いずれかの子音又は母音を示す情報を入力する入力手段と、
前記入力手段が入力した情報に示される音が子音であるか否かを判定する判定手段と、
前記判定手段が子音であると判定すると、前記複数の入力部のうち母音に対応付けられた入力部を認識可能に表示制御する母音表示制御手段とを備えた
ことを特徴とする携帯端末。
【請求項２】
母音表示制御手段は、母音に対応付けられた入力部を発光させる制御を行う
請求項１記載の携帯端末。
【請求項３】
母音表示制御手段は、各入力部を母音ごとにそれぞれ異なる表示色で発光させる制御を行う
請求項２記載の携帯端末。
【請求項４】
母音表示制御手段は、判定手段が子音でないと判定すると、各入力部の発光を停止する制御を行う
請求項２又は請求項３記載の携帯端末。
【請求項５】
入力部は、当該携帯端末が搭載する入力部によって実現される
請求項１から請求項４のうちのいずれか１項に記載の携帯端末。
【請求項６】
各子音及び各母音にそれぞれ対応付けられた複数の入力部から、いずれかの子音又は母音を示す情報を入力する入力ステップと、
入力した情報に示される音が子音であるか否かを判定する判定ステップと、
子音であると判定すると、前記複数の入力部のうち母音に対応付けられた入力部を認識可能に表示制御する母音表示制御ステップとを含む
ことを特徴とする文字入力操作補助方法。
【請求項７】
母音表示制御ステップで、母音に対応付けられた入力部を発光させる制御を行う
請求項６記載の文字入力操作補助方法。
【請求項８】
コンピュータに、
各子音及び各母音にそれぞれ対応付けられた複数の入力部から、いずれかの子音又は母音を示す情報を入力する入力処理と、
入力した情報に示される音が子音であるか否かを判定する判定処理と、
子音であると判定すると、前記複数の入力部のうち母音に対応付けられた入力部を認識可能に表示制御する母音表示制御処理とを
実行させるための文字入力操作補助プログラム。
【請求項９】
母音表示制御処理で、母音に対応付けられた入力部を発光させる制御を実行させる
請求項８記載の文字入力操作補助プログラム。
【発明の詳細な説明】
【技術分野】
【０００１】
本発明は、文字入力操作を補助する文字入力操作補助方法、及び文字入力操作補助プログラムに関する。また、本発明は、文字入力操作補助方法を用いた携帯端末に関する。
【背景技術】
【０００２】
昨今の携帯電話機は、一部のスマートフォンを除き、携帯電話機のサイズの制約により搭載できるボタンの数が限られている。そのため、携帯電話機において文字入力操作を行う際、１文字の入力を行う場合でも複数のボタンを組み合わせ的に押下する入力方式が主流となっている。従って、携帯電話機の操作に慣れていない利用者にとって、文字入力操作は、困難な操作である。
【０００３】
このような文字入力操作における負担を軽減する技術として、例えば、特許文献１には、数字キーボタンに子音と母音とを割り当てて入力操作をすることで、ボタンを押下する回数を少なくすることができる技術が記載されている。
【先行技術文献】
【特許文献】
【０００４】
【特許文献１】特開２００４−３６２４９２号公報
【発明の概要】
【発明が解決しようとする課題】
【０００５】
しかし、特許文献１に記載された技術は、ボタンを押下する回数を少なくするに過ぎない。そのため、携帯電話機の操作に不慣れな利用者にとっては、入力方法に戸惑う、誤入力が発生しやすいなどの利便性の面で依然として問題がある。
【０００６】
そこで、本発明は、文字入力操作を行うにあたり、入力方法に戸惑うことなく、また誤入力の発生を低減することができる携帯端末、文字入力操作補助方法、及び文字入力操作補助プログラムを提供することを目的とする。
【課題を解決するための手段】
【０００７】
本発明による携帯端末は、各子音及び各母音にそれぞれ対応付けられた複数の入力部から、いずれかの子音又は母音を示す情報を入力する入力手段と、入力手段が入力した情報に示される音が子音であるか否かを判定する判定手段と、判定手段が子音であると判定すると、複数の入力部のうち母音に対応付けられた入力部を認識可能に表示制御する母音表示制御手段とを備えたことを特徴とする。
【０００８】
本発明による文字入力操作補助方法は、各子音及び各母音にそれぞれ対応付けられた複数の入力部から、いずれかの子音又は母音を示す情報を入力する入力ステップと、入力した情報に示される音が子音であるか否かを判定する判定ステップと、子音であると判定すると、複数の入力部のうち母音に対応付けられた入力部を認識可能に表示制御する母音表示制御ステップとを含むことを特徴とする。
【０００９】
本発明による文字入力操作補助プログラムは、コンピュータに、各子音及び各母音にそれぞれ対応付けられた複数の入力部から、いずれかの子音又は母音を示す情報を入力する入力処理と、入力した情報に示される音が子音であるか否かを判定する判定処理と、子音であると判定すると、複数の入力部のうち母音に対応付けられた入力部を認識可能に表示制御する母音表示制御処理とを実行させるためのものである。
【発明の効果】
【００１０】
本発明によれば、文字入力操作を行うにあたり、入力方法に戸惑うことなく、また誤入力の発生を低減することができる。
【図面の簡単な説明】
【００１１】
【図１】本実施形態で用いる携帯電話機の一例を示す説明図である。
【図２】母音バックライト点灯色対応表の一例を示す説明図である。
【図３】ボタン清音対応表の一例を示す説明図である。
【図４】携帯電話機２０の機能構成を示す機能ブロック図である。
【図５】携帯電話機２０が実行する処理例を示す流れ図である。
【図６】携帯端末の最小の機能構成例を示すブロック図である。
【発明を実施するための形態】
【００１２】
以下、本発明の実施形態について図面を参照して説明する。図１は、本発明による文字入力操作補助方法を用いた携帯電話機の一例を示す説明図である。図１に示すように、携帯電話機２０は、機器上部に画面を表示する表示部１６を搭載している。また、携帯電話機２０は、機器下部に複数個のボタン（例えば、ボタン１）を含むキー操作部を搭載し、各ボタンをユーザから見て裏面側から照射可能なバックライト１１をボタンごとに搭載している。なお、各ボタンのバックライト１１は、利用者が文字入力操作を行うときに、携帯電話機２０の制御に従って、点灯する機能を備えている。例えば、各ボタンのキートップ部は、透明又は半透明な合成樹脂で作製されており、バックライトが発光することによって、それぞれ発光して見える。また、本実施形態では、携帯電話機を用いる場合を説明するが、携帯電話機に限らず、例えばＰＨＳ端末やＰＤＡなどの携帯端末を用いてもよい。
【００１３】
図２は、母音バックライト点灯色対応表の一例を示す説明図である。図２に示すように、各母音は、それぞれバックライト点灯色と対応付けられている。
【００１４】
図３は、ボタン清音対応表の一例を示す説明図である。図３に示すように、各ボタンは、それぞれ清音情報と対応付けられている。
【００１５】
本実施形態では、図２に示す母音バックライト点灯色対応表と図３に示すボタン清音対応表とに基づいて動作する携帯電話機２０を用いる。また、本実施形態では、上記の携帯電話機２０を用いて、日本国内では一般的な文字入力方式の一つである２タッチ入力方式（ポケベル入力方式）に従い「か」行（か、き、く、け、こ）のひらがなを入力する例について説明する。
【００１６】
本実施形態において、利用者が子音「Ｋ」に対応するボタン１を押下すると、図２及び図３に示す対応表に基づいて、ボタン１〜６のバックライト１１は、次のように点灯する。母音「ａ」の文字に対応するボタン２のバックライトは、色Ａに点灯する。また、母音「ｉ」の文字に対応するボタン３のバックライトは、色Ｂに点灯する。また、母音「ｕ」の文字に対応するボタン４のバックライトは、色Ｃに点灯する。また、母音「ｅ」の文字に対応するボタン５のバックライトは、色Ｄに点灯する。また、母音「ｏ」の文字に対応するボタン６のバックライトは、色Ｅに点灯する。本実施形態では、利用者は、これらのボタンのバックライトを視認しながら、入力したい母音のボタンを選択することができる。
【００１７】
図４は、携帯電話機２０の機能構成を示す機能ブロック図である。図４に示すように、携帯電話機２０は、キー操作部に含まれるボタン１〜６、ボタン押下監視機構７、押下ボタン処理機構８、バックライト点灯色決定機構９、バックライト点灯色制御機構１０、バックライト１００〜１０５、ボタン清音対応表記憶部１２、清音情報記憶部１３、母音バックライト点灯色対応表記憶部１４、及びバックライト点灯色情報記憶部１５を含む。
【００１８】
ボタン１は、子音「Ｋ」を入力する機能を備えている。ボタン２は、母音「ａ」を入力する機能を備えている。ボタン３は、母音「ｉ」を入力する機能を備えている。ボタン４は、母音「ｕ」を入力する機能を備えている。ボタン５は、母音「ｅ」を入力する機能を備えている。ボタン６は、母音「ｏ」を入力する機能を備えている。なお、図２〜４では、図示を省略しているが、携帯電話機２０は、「Ｋ」以外の子音を入力するためのボタンも含んでいる。また、本実施形態では、ボタン１〜６は、携帯電話機２０が搭載する押しボタンによって実現されているが、押しボタンに限らず、例えば、表示部１６にＧＵＩとして実現されていてもよい。
【００１９】
ボタン押下監視機構７は、具体的には、プログラムに従って動作する携帯電話機のＣＰＵによって実現される。ボタン押下監視機構７は、ボタンが押下されているかを監視する機能を備えている。また、ボタン押下監視機構７は、押下されたボタンの情報（例えば、いずれのボタンが押下されたかを示す情報）を押下ボタン処理機構８に通知（出力）する機能を備えている。
【００２０】
押下ボタン処理機構８は、具体的には、プログラムに従って動作する携帯電話機のＣＰＵによって実現される。押下ボタン処理機構８は、ボタン押下監視機構７から通知（出力）された押下されたボタンの情報と、図３に示すボタン清音対応表とに基づいて、押下されたボタンに対応する清音情報（すなわち、押下されたボタンの音に対応する清音情報）を決定（特定）する機能を備えている。また、押下ボタン処理機構８は、決定（特定）した清音情報を清音情報記憶部１３に格納させる。
【００２１】
バックライト点灯色決定機構９は、具体的には、プログラムに従って動作する携帯電話機のＣＰＵによって実現される。バックライト点灯色決定機構９は、清音情報記憶部１３から清音情報を取得（抽出）し、取得（抽出）した清音情報に示される音が子音であるか否かを判定する機能を備えている。また、バックライト点灯色決定機構９は、取得（抽出）した清音情報が子音であると判定した場合、図２に示す母音バックライト点灯色対応表と図３に示すボタン清音対応表とに基づいて、ボタン１〜６の点灯色を決定（特定）する機能を備えている。バックライト点灯色決定機構９は、決定（特定）したバックライト点灯色を示す情報をバックライト点灯色情報記憶部１５に記録（格納）させる。
【００２２】
バックライト点灯色制御機構１０は、具体的には、プログラムに従って動作する携帯電話機のＣＰＵによって実現される。バックライト点灯色制御機構１０は、バックライト点灯色情報記憶部１５からバックライト点灯色を示す情報を読み出し（抽出し）、読み出した（抽出した）情報に基づいてボタン１〜６のバックライト１１を点灯させる機能を備えている。
【００２３】
バックライト１１は、例えば、ボタン１〜６ごとに異なる発光色のＬＥＤなどの発光体によって実現される。バックライト１１は、ボタン１〜６をそれぞれ異なる色で照射する機能を備えている。
【００２４】
ボタン清音対応表記憶部１２は、具体的には、メモリなどの記憶装置によって実現される。ボタン清音対応表記憶部１２は、図３に示すボタン清音対応表を格納する。
【００２５】
清音情報記憶部１３は、具体的には、メモリなどの記憶装置によって実現される。清音情報記憶部１３は、押下されたボタンに対応する清音情報を格納する。
【００２６】
母音バックライト点灯色対応表記憶部１４は、具体的には、メモリなどの記憶装置によって実現される。母音バックライト点灯色対応表記憶部１４は、図２に示す母音バックライト点灯色対応表を格納する。
【００２７】
バックライト点灯色情報記憶部１５は、具体的には、メモリなどの記憶装置によって実現される。バックライト点灯色情報記憶部１５は、ボタンのバックライト点灯色を示す情報を格納する。
【００２８】
次に、動作について説明する。図５は、携帯電話機２０が実行する処理例を示す流れ図である。図５を用いて、利用者が、２タッチ入力方式（ポケベル入力方式）にて、ひらがなの「か」の文字を入力するためにボタン１、ボタン２の順に押下する場合を例に、動作を説明する。
【００２９】
ひらがなの「か」の文字を入力するために、利用者は、携帯電話機２０を操作して、まず、ボタン１を押下する。
【００３０】
ユーザの操作に対して、ボタン押下監視機構７は、各ボタンが押下されているかどうかを判定する（ステップＳ１）。
【００３１】
ステップＳ１において、ボタンが押下されていると判定すると、ボタン押下監視機構７は、押下されたボタンを示す情報（例えば、ボタン１を特定可能な情報）を押下ボタン処理機構８に通知（出力）する（ステップＳ２）。本実施形態では、ボタン押下監視機構７は、ボタン１を押下されたボタンの情報として押下ボタン処理機構８に通知（出力）する。
【００３２】
次いで、押下ボタン処理機構８は、ステップＳ２においてボタン押下監視機構７から通知（出力）されたボタンの情報と、ボタン清音対応表記憶部１２が格納する図３に示すボタン清音対応表とに基づいて、押下されたボタンに対応する清音情報を決定（特定）する。そして、押下ボタン処理機構８は、決定（特定）した清音情報を清音情報記憶部１３に格納させる（ステップＳ３）。本実施形態では、押下ボタン処理機構８は、ボタン１の清音に対応する子音「Ｋ」を清音情報記憶部１３に格納させる。
【００３３】
次いで、バックライト点灯色決定機構９は、ステップＳ３において押下ボタン処理機構８が格納した清音情報を清音情報記憶部１２から読み出す（抽出する）（ステップＳ４）。
【００３４】
次いで、バックライト点灯色決定機構９は、ステップＳ４で読み出した（抽出した）清音情報で示される音が子音であるか否かを判定する（ステップＳ５）。ステップＳ５において子音であると判定すると、バックライト点灯色決定機構９は、ステップＳ６の処理に移行する。一方、ステップＳ５において、子音でないと判定すると、バックライト点灯色決定機構９は、ステップＳ８の処理に移行する。
【００３５】
ステップＳ５において子音であると判定すると、バックライト点灯色決定機構９は、ボタン清音対応表記憶部１２が格納する図３に示すボタン清音対応表と母音バックライト点灯色対応表記憶部１４が格納する図２に示す母音バックライト点灯色対応表とに基づいて、ボタン２のバックライト点灯色を決定（特定）する。そして、バックライト点灯色決定機構９は、決定（特定）したバックライト点灯色を示す情報をバックライト点灯色情報記憶部１５に格納させる（ステップＳ６）。本実施形態では、バックライト点灯色決定機構９は、ボタン２のバックライトを色Ａと決定（特定）し、決定（特定）した情報をバックライト点灯色情報記憶部１５に格納させる。
【００３６】
バックライト点灯色決定機構９は、引き続き、ボタン２〜６についてもステップＳ６と同様にバックライト点灯色の決定（特定）し、決定（特定）した情報をバックライト点灯色情報記憶部１５に格納する。本実施形態では、バックライト点灯色決定機構９は、ボタン３のバックライトを色Ｂと、ボタン４のバックライトを色Ｃと、ボタン５のバックライトを色Ｄと、ボタン６のバックライトを色Ｅと決定（特定）する。そして、バックライト点灯色決定機構９は、決定した情報をバックライト点灯色情報記憶部１５に格納させる。
【００３７】
本実施形態では、子音「Ｋ」を入力しているが、例えば、子音「Ｙ」を入力した場合について説明する。子音「Ｙ」を入力した場合、母音ｉ及びｅに相当する文字が存在しないので、バックライト点灯色決定機構９は、例えば、ボタン３及びボタン５のバックライトは点灯せず、ボタン２、ボタン４、及びボタン６のバックライトが点灯するように制御してもよい。例えば、ボタン清音対応表記憶部１２は、子音ごとに図３に示すようなボタン清音対応表を備える。この場合、ボタン清音対応表記憶部１２は、子音「Ｙ」に対応して母音「ａ」「ｕ」「ｏ」のみを含むボタン清音対応表を備える。そして、バックライト点灯色決定機構９は、子音「Ｙ」に対応するボタン清音対応表に基づいて、「ａ」「ｕ」「ｏ」のボタンのバックライトを点灯させると判断する。
【００３８】
次いで、バックライト点灯色制御機構１０は、バックライト点灯色情報記憶部１５からバックライト点灯色を示す情報を読み出す（抽出する）。そして、バックライト点灯色制御機構１０は、読み出した（抽出した）情報に基づいてバックライト１１を点灯させる（ステップＳ７）。その後、携帯電話機２０は、ステップＳ１の処理に移行する。
【００３９】
なお、本実施形態では、「か」の文字を入力するにあたって、利用者は、例えば、色Ａのバックライトによって、母音ａを入力するためのボタンがボタン２であることを認識することができる。
【００４０】
一方、ステップＳ５において子音でない（すなわち母音である）と判定すると、バックライト点灯色決定機構９は、バックライト点灯色情報記憶部１５が格納する情報を消去する（ステップＳ８）。
【００４１】
次いで、バックライト点灯色制御機構１０は、バックライト１１を消灯させる（ステップＳ９）。その後、携帯電話機２０は、ステップＳ１の処理に移行する。すなわち、母音のキーが押下された場合には、続けて母音のキーが押下される場合はないのであるから、バックライトを点灯しないよう制御する。
【００４２】
以上のように、本実施形態では、携帯電話機２０においてひらがなの文字入力の際に、子音の入力すると、バックライト１１は、各母音に対応するボタンをそれぞれ異なる色で点灯する。そのため、利用者は、ボタン入力後に画面に文字が表示される前に、どのボタンを押せばどの母音の文字が表示されるかを、ボタンのバックライト点灯色により視認することができる。従って、文字入力操作において入力方法に戸惑うことなく、また誤入力の発生を抑える効果がある。
【００４３】
なお、本実施形態では、２タッチ入力方式を例に説明しているが、同様に日本国内では一般的な入力方式の１つであり、単一のボタンを複数回押下することによって母音を決定する、かな入力方式であっても、本発明の適用が可能である。例えば、かな入力方式では、押下した単一のボタンのみバックライトによって点灯される。そして、バックライトの点灯色は、利用者がボタンを押下した回数に応じて変化する。そのため、利用者は、母音を識別することができる。
【００４４】
次に、本発明による携帯端末の最小構成について説明する。図６は、携帯端末の最小の機能構成例を示すブロック図である。図６に示すように、携帯端末１００は、最小の構成要素として、各子音及び各母音にそれぞれ対応付けられた複数の入力部から、いずれかの子音又は母音を示す情報を入力する入力手段１１０と、入力手段１１０が入力した情報に示される音が子音であるか否かを判定する判定手段１２０と、判定手段１２０が子音であると判定すると、複数の入力部のうち母音に対応付けられた入力部を認識可能に表示制御する母音表示制御手段１３０とを含む。
【００４５】
図６に示す最小構成の携帯端末によれば、判定手段１２０は、入力手段１１０が入力した情報に示される音が子音であるか否かを判定する。そして、母音表示制御手段１３０は、判定手段１２０が子音であると判定すると、複数の入力部のうち母音に対応付けられた入力部を認識可能に表示制御する。
【００４６】
そのため、利用者は、携帯端末の文字入力操作において、子音を入力すると、母音を入力するためのボタンを認識することができる。従って、入力方法に戸惑うことなく、また誤入力の発生を低減することができる。
【００４７】
なお、本実施形態では、以下の（１）〜（５）に示すような携帯端末の特徴的構成が示されている。
【００４８】
（１）携帯端末（例えば、携帯電話機２０）は、各子音及び各母音にそれぞれ対応付けられた複数の入力部（例えば、ボタン１〜６）から、いずれかの子音又は母音を示す情報を入力する入力手段と、入力手段が入力した情報に示される音が子音であるか否かを判定する判定手段（例えば、バックライト点灯色決定機構９によって実現される）と、判定手段が子音であると判定すると、複数の入力部のうち母音に対応付けられた入力部を認識可能に表示制御する母音表示制御手段（例えば、バックライト点灯色制御機構１０によって実現される）とを備えたことを特徴とする。
【００４９】
（２）携帯端末において、母音表示制御手段は、母音に対応付けられた入力部を発光（例えば、バックライト１１で照射する）させる制御を行うように構成されていてもよい。
【００５０】
（３）携帯端末において、母音表示制御手段は、各入力部を母音ごとにそれぞれ異なる表示色（例えば、色Ａ〜Ｅ）で発光させる制御を行うように構成されていてもよい。
【００５１】
（４）携帯端末において、母音表示制御手段は、判定手段が子音でないと判定すると、各入力部の発光を停止する制御を行うように構成されていてもよい。
【００５２】
（５）携帯端末において、入力部は、当該携帯端末が搭載する入力部によって実現されるように構成されていてもよい。
【産業上の利用可能性】
【００５３】
本発明は、携帯端末において文字入力をする用途に適用可能である。
【符号の説明】
【００５４】
１〜６  ボタン
７  ボタン押下監視機構
８  押下ボタン処理機構
９  バックライト点灯色決定機構
１０  バックライト点灯色制御機構
１１  バックライト
１２  ボタン清音対応表記憶部
１３  清音情報記憶部
１４  母音バックライト点灯色対応表記憶部
１５  バックライト点灯色情報記憶部
１６  表示部
２０  携帯電話機
１００  携帯端末
１１０  入力手段
１２０  判定手段
１３０  母音表示制御手段
【図１】
2010170477.tif 000003
【図２】
2010170477.tif 000004
【図３】
2010170477.tif 000005
【図４】
2010170477.tif 000006
【図５】
2010170477.tif 000007
【図６】
2010170477.tif 000008